(57)【要約】【課題】他の電子機器と信号ケーブルで接続されていても、自身の接地端子が確実に接地されていることを検出できる電子機器を提供する。【解決手段】電子機器１において、接地端子４ａと接地検出端子４ｂとが絶縁体４ｃを挟んで一体に構成された端子部４を、導体で形成されたネジ５でボディアース９に固定する。端子部４がボディアース９に固定されると、接地検出端子４ｂが接続された検出線３がローレベルになるので、μｃｏｍ６において端子部４は接地されたと判断し、検出線３がハイレベルの場合はμｃｏｍ６において端子部４は接地されていないと判断し、表示部８に接地されていないことを表示する。【選択図】図２
2010108874.tif 000002
【特許請求の範囲】
【請求項１】
接地部材と、前記接地部材を接地部へ固定する導体からなる固定手段とを有する電子機器であって、
前記接地部材は、導体で形成され、接地線と接続された接地端子と、
導体で形成され、前記接地端子との間に絶縁体を介して配置された接地検出端子と、で構成され、
前記接地部材が前記固定手段により前記接地部へ固定されるときに前記接地検出端子に生じる信号レベルの変動を前記接地検出端子に接続された検出線を介して検出する検出手段を有することを特徴とする電子機器。
【請求項２】
前記接地端子と前記接地検出端子とは、絶縁体を介して互いに電気的に絶縁されるように一体に構成されていることを特徴とする請求項１に記載の電子機器。
【請求項３】
前記検出手段が検出した結果を表示する表示手段を備えたことを特徴とする請求項１または２に記載の電子機器。
【請求項４】
前記検出手段は、前記接地検出端子が接地されていない際に、前記検出線の信号レベルをハイレベルに維持するプルアップ抵抗を備えたことを特徴とする請求項１乃至３のうちいずれか一項に記載の電子機器。
【発明の詳細な説明】
【技術分野】
【０００１】
本発明は、内蔵する電子回路を接地するための接地端子が設けられた電子機器に関する。
【背景技術】
【０００２】
家電製品や車載機器などの電子機器には、安全性の確保や正常動作を保障するために、内蔵する電子回路に接続されるとともに接地端子が先端に設けられた接地線が備えられ、その接地端子を車両のボディ（ボディアース）や大地などの接地部に固定して使用するものがある。
【０００３】
接地端子は、例えば図１に示すように、金属などの導体で略Ｕ字状に形成されており、この接地端子１０１に接地線１０２が接続され、ネジ１０３でボディアースなどの接地部に接するように固定されて接地線１０２が設けられた図示しない電子機器（内蔵する電子回路）が接地される。
【０００４】
また、電子機器が接地されているか否かを検出する検出装置としては、例えば、特許文献１に記載の検出装置が提案されている。特許文献１では機器側で電子回路上に回路を付加して接地されているかを検出している。
【特許文献１】特開２００２−９８７２６号公報
【発明の開示】
【発明が解決しようとする課題】
【０００５】
しかしながら、特許文献１に記載の検出装置は単独の機器での接地検出は確実に行えるが、例えば複数の電子機器が信号ケーブルなどで接続されたシステムを構築する場合、他の機器が接地されていると、信号ケーブルを通して当該機器の電子回路も電気的には接地されてしまい、電子回路上での検出では実際と異なった結果が出てしまう可能性がある。
【０００６】
さらに、信号ケーブルを通して他の機器の接地を利用する場合、電気的には接地されているが、信号ケーブルを介して過度な電流が流れることによって信号ケーブル内の接地線の断線やヒューズの溶断などが発生する可能性がある。また、当該機器自体が接地されていないので、内蔵する電子回路上がノイズなどの影響を受け易く設計どおりの性能が発揮できないこともあった。
【０００７】
そこで、本発明は、他の電子機器と信号ケーブルで接続されていても、自身の接地端子が確実に接地されていることを検出できる電子機器を提供することを課題とする。
【課題を解決するための手段】
【０００８】
上記課題を解決するために、請求項１に記載の電子機器は、接地部材と、前記接地部材を接地部へ固定する導体からなる固定手段とを有する電子機器であって、前記接地部材は、導体で形成され、接地線と接続された接地端子と、導体で形成され、前記接地端子との間に絶縁体を介して配置された接地検出端子と、で構成され、前記接地部材が前記固定手段により前記接地部へ固定されるときに前記接地検出端子に生じる信号レベルの変動を前記接地検出端子に接続された検出線を介して検出する検出手段を有することを特徴としている。
【発明を実施するための最良の形態】
【０００９】
以下、本発明の一実施形態にかかる電子機器を説明する。本発明の一実施形態にかかる電子機器は、接地部材が導体で形成された接地端子と、同じく導体で形成されるとともに接地端子との間に絶縁体を介して配置された接地検出端子とで構成されて、検出手段が接地部材が固定手段により接地部へ固定されるときに接地検出端子に生じる信号レベルの変動を接地検出端子に接続された検出線を介して検出しているので、接地検出端子が接続された検出線の信号レベルに応じて検出手段が接地されているか否かを検出できるために、当該機器が他の機器と信号ケーブルなどで接続されていても他の機器の接地を自身の接地として誤検出してしまうことが防止でき、自身の接地端子が確実に接地されているか否かを検出することができる。
【００１０】
また、接地端子と接地検出端子とは、絶縁体を介して互いに電気的に絶縁されるように一体に設けられていてもよい。このようにすることにより、接地部材が一体の部品となるために取り扱いが楽になる。
【００１１】
また、検出手段が検出した結果を表示する表示手段を備えてもよい。このようにすることにより、検出手段が検出した結果をユーザ等に通知して正しく接地するなどの処置を施させることができる。
【００１２】
また、検出手段が、接地検出端子が接地されていない際に、検出線の信号レベルをハイレベルに維持するプルアップ抵抗を備えてもよい。このようにすることにより、接地されていない場合、つまり、検出手段の入力が浮いている場合は信号レベルをハイレベルに維持して検出手段の入力を安定させるとともに検出手段に接地されていないことを確実に検出させることができる。
【実施例】
【００１３】
本発明の一実施例にかかる電子機器１を図２乃至図４を参照して説明する。電子機器１は、図２に示すように接地腺２と、検出線３と、端子部４と、ネジ５と、μｃｏｍ６と、プルアップ抵抗７と、表示部８と、を備えている。
【００１４】
接地線２は、一方の端部に後述する端子部４の接地端子４ａが接続されているとともに、他方の端部が図示しない電子機器１が内蔵する電子回路の接地線に接続されている。
【００１５】
検出線３は、一方の端部に後述する端子部４の接地検出端子４ｂが接続されているとともに、他方の端部がμｃｏｍ６に接続されている。
【００１６】
接地部材としての端子部４は図２や図３に示すように、金属などの導体で形成された接地端子４ａおよび接地検出端子４ｂと、絶縁体４ｃと、から構成されている。接地端子４ａおよび接地検出端子４ｂは、略Ｕ字状に形成されており絶縁体４ｃを挟んで一体に構成されている。すなわち、端子部４は、接地端子４ａと、接地端子４ａと絶縁体４ｃを介して配置された接地検出端子４ｂと、で構成されている。なお、接地端子４ａおよび接地検出端子４ｂは略Ｕ字状に限らず円環状など後述するネジ５で固定することができる形状であればよい。
【００１７】
絶縁体４ｃは、ゴムや樹脂などで接地端子４ａおよび接地検出端子４ｂに挟まれるように形成されているとともに、接地端子４ａおよび接地検出端子４ｂのＵ字の内周部も覆うように内周部分４ｃ１が形成されている。なお、絶縁体４ｃの内周部分４ｃ１は、接地端子４ａおよび接地検出端子４ｂの表面よりも凹んでおり、ネジ５の座面やボディアース９に接触しないように形成されている。絶縁体４ｃは、このように形成することによって、接地端子４ａと接地検出端子４ｂとを互いに電気的に絶縁される。
【００１８】
固定手段としてのネジ５は、金属などの導体で形成され、端子部４をボディアース９に接するように固定する。なお、固定手段としてネジ５に限らずリベットなどを用いてもよい。要するに端子部４を固定するとともにボディアース９に接しない側の接地端子４ａを電気的にボディアース９に接続できる部材であればよい。
【００１９】
検出手段としてのμｃｏｍ６は、ＣＰＵ（Central Processing Unit）やメモリなどを内蔵したマイクロコンピュータであり、本実施例では検出線３の他方の端部が接続されて、端子部４が接地されているか否か（ボディアース９に確実に固定されているか否か）を検出する。
【００２０】
プルアップ抵抗７は、一方の端部が検出線３のμｃｏｍ６近傍に接続され、他方の端部が電源電圧Ｖｃｃに接続されており、端子部４が接地されていない際に検出線３の信号レベルをハイレベルに維持するために設けられた抵抗である。
【００２１】
表示手段としての表示部８は、μｃｏｍ６で検出した結果をユーザ等に表示して通知するために設けられており、液晶ディスプレイや蛍光表示管などで構成されている。また、表示部８は、接地されていないことを検出したときのみ点滅または点灯するＬＥＤ（Light Emitting Diode）などによるインジケータとしてもよい。
【００２２】
ボディアース９は、例えば車両のボディなどの導体で構成され、電子機器１が動作する基準電位となっている。車両などの移動体で無い場合は大地や大地に接地された導体でもよい。
【００２３】
本実施例では、端子部４がネジ５でボディアース９に確実に固定されて、接地検出端子４ｂがボディアース９に接すると検出線３はローレベルになる。接地検出端子４ｂがボディアース９に接すると接地端子４ａも共締めされてネジ５の座面が接地端子４ａに接するため、μｃｏｍ６は、検出線３がローレベルであることを検出すると端子部４（接地端子４ａ）が接地されたと判断する。
【００２４】
接地検出端子４ｂがボディアース９に接していない場合は、検出線３がプルアップ抵抗７の影響によりハイレベルになる。μｃｏｍ６は、検出線３がハイレベルであることを検出すると、端子部４が接地されていないと判断して表示部８に正しく接地されていないことを警告表示する。
【００２５】
本実施例によれば、端子部４が、接地端子４ａと接地検出端子４ｂとが絶縁体４ｃを挟んで一体に構成され、導体で形成されたネジ５で固定されるので、接地部４が確実にネジ５によって接地されたか否かを接地検出端子４ｂが接地されたか否かで判断することができる。また、接地端子４ａと接地検出端子４ｂとが絶縁体４ｃを挟んで一体に構成されているので端子部４が従来とほぼ同等に取り扱うことができる。
【００２６】
また、接地端子４ａと接地検出端子４ｂとが絶縁体４ｃを挟んでいるので、例えば図４に示すように他の接地された機器１０と信号ケーブル１１に接続されていても自身の接地端子４ａが接地されているか否かを確実に検出することができる。図４の場合、電子機器１が接地されていなくても電気的には他の接地された機器１０の接地によって信号ケーブルの接地線を通して電子機器１の回路も電気的に接地されるが、この場合信号ケーブル１１に過大な電流が流れることがあり、信号ケーブル１１内の接地線の断線やヒューズの溶断などが発生する可能性がある。さらに、電子機器１の回路がノイズなどの影響を受け易く設計どおりの性能が発揮できないこともある。したがって、接地検出端子４ｂが接地されていることをμｃｏｍ６で検出することで、このような信号ケーブル１１内の接地線の断線やヒューズの溶断およびノイズによる性能低下などを防止することができる。
【００２７】
また、μｃｏｍ６は、端子部４が接地されていない場合に表示部８に接地されていないことを警告表示しているので、ユーザ等に正しく接地するなどの処置を施させることができる。
【００２８】
また、検出線３にはプルアップ抵抗７が接続されているので、端子部４が接地されていない場合に検出線３をハイレベルにすることができ、μｃｏｍ６の入力を安定させるとともにμｃｏｍ６に接地されていないことを確実に検出させることができる。
【００２９】
なお、上述した実施例では、端子部４は絶縁体４ｃを挟んで接地端子４ａと接地検出端子４ｂとが一体に構成されていたが、それぞれ別に構成して、接地端子４ａ、絶縁体４ｃ、接地検出端子４ｂの順番に上から重ねてからネジ５で固定しても良い。
【００３０】
前述した実施例によれば、以下の電子機器１が得られる。
【００３１】
（付記１）端子部４と、端子部４をボディアース９へ固定する導体からなるネジ５とを有する電子機器１であって、
端子部４は、導体で形成され、接地線２と接続された接地端子４ａと、
導体で形成され、接地端子４ａとの間に絶縁体４ｃを介して配置された接地検出端子４ｂと、で構成され、
端子部４がネジ５によりボディアース９へ固定されるときに接地検出端子４ｂに生じる信号レベルの変動を接地検出端子４ｂに接続された検出線３を介して検出するμｃｏｍ６を有することを特徴とする電子機器１。
【００３２】
この電子機器１によれば、接地検出端子が接続された検出線３を介してμｃｏｍ６が接地されていることを検出できるために、電子機器１が他の機器と信号ケーブルなどで接続されていても自身の端子部４が確実に接地されていることを検出できる。
【００３３】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００３４】
【図１】従来技術にかかる接地端子を示した斜視図である。
【図２】本発明の一実施例にかかる電子機器の構成図である。
【図３】図２に示された電子機器装置の端子部を示した斜視図である。
【図４】他の機器と接続された場合を示す構成図である。
【符号の説明】
【００３５】
１        電子機器
２        接地線
３ 検出線
４        端子部（接地部材）
４ａ      接地端子
４ｂ      接地検出端子
４ｃ      絶縁体
５        ネジ（固定手段）
６        μｃｏｍ（検出手段）
７        プルアップ抵抗
８        表示部（表示手段）
９        ボディアース（接地部）
【図１】
2010108874.tif 000003
【図２】
2010108874.tif 000004
【図３】
2010108874.tif 000005
【図４】
2010108874.tif 000006